(57)【要約】【課題】配管穴ふたを失うことがなく再利用できる空気調和機を提供する。【解決手段】室内ユニット（図示せず）の外郭１に、室外ユニット（図示せず）と接続する配管（図示せず）を引き出すための配管穴ふた部２を複数設け、配管穴ふた部２は、外郭１とヒンジ８で連結された配管穴ふた７を有するもので、配管穴ふた７をヒンジ作用にて倒すことにより配管の引出しが可能となり、また、配管穴ふた７は、外郭１とヒンジ８で連結されているので、従来のように失う心配がなく、再び配管穴ふた７を元の位置に戻したいときには非常に簡単な作業で可能となり、初めに切り取った配管穴ふた部２の見苦しさをなくすことができる。【選択図】図１
2008190838.tif 000002
【特許請求の範囲】
【請求項１】
室内ユニットの外郭に、室外ユニットと接続する配管を引き出すための配管穴ふた部を複数設け、前記配管穴ふた部は、前記外郭とヒンジで連結された配管穴ふたを有することを特徴とする空気調和機。
【請求項２】
外郭と配管穴ふたとヒンジを一体に形成した請求項１に記載の空気調和機。
【請求項３】
配管穴ふたと外郭とを一体で形成し、前記配管穴ふたと前記外郭とを別体のヒンジで連結した請求項１に記載の空気調和機。
【発明の詳細な説明】
【技術分野】
【０００１】
本発明は、空気調和機に関するもので、特に、セパレート形の空気調和機を構成する室内ユニットの配管穴ふた部の構成に関するものである。
【背景技術】
【０００２】
従来の空気調和機の室内ユニットの配管穴ふた部として、図５、６に示されるようなものがあった（例えば、特許文献１参照）。
【０００３】
図５は、前記特許文献１に記載された従来の空気調和機の室内ユニットの正面・側面・下面図、図６は、同室内ユニットに設けられた配管穴ふた部の拡大図、図７は、同空気調和機の配管穴ふたの収納部を示す部分斜視図である。
【０００４】
図５、図６において、従来の空気調和機の室内ユニット１５は、樹脂により成形され外郭の一部を形成する台枠１を備え、台枠１の右側面、左側面、下面のそれぞれに、配管穴ふた部２が設けられ、各配管穴ふた部２は、切り込み部５と、穴部６と、配管穴ふた７から構成されている。
【０００５】
室内ユニット１５を据え付ける際、据え付ける場所により、配管（図示せず）の引き出し位置が違う。そこで、配管の引き出し位置に最も適した場所に設けられた配管穴ふた部２の配管穴ふた７を切り取り、そこから配管を引き出すようにしている。
【０００６】
図６において、切り込み部５は、台枠１の他の部分より若干肉厚が薄く形成されている。この部分を順次金のこ等の工具を用いて切り込めば、穴部６につながり、配管を引き出せる穴が形成できる。ここで切り取られた配管穴ふた７は不要となるが、将来室内ユニット１５を取り外し、他の部屋や他の家屋に移設する場合に、配管の引き出し位置が異なり、この位置での配管穴を、一旦切り取った配管穴ふた７で埋める必要があるため、図７に示すように、室内ユニット１５の一部に、配管穴ふた７を収納する収納部１０が設けられ、そこに収納できるようになっている。
【特許文献１】特開平８−１２８６６９号公報（４頁、図３、図４、５頁、図５）
【発明の開示】
【発明が解決しようとする課題】
【０００７】
しかしながら、上記従来の空気調和機の構成では、切り取った配管穴ふた７を収納部１０に収納するという作業が必要であり、工事業者が、収納部１０の存在に気づかず、知らずに配管穴ふた７を廃棄してしまったり、また、空気調和機の移設の際の運搬時に、配管穴ふた７が収納部１０から脱落して、なくなってしまうという課題を有していた。
【０００８】
本発明は、前記従来の課題を解決するもので、配管穴ふたを失うことがなく再利用できると共に、初めに切り取った配管穴ふた部の見苦しさをなくすことができる空気調和機を提供することを目的とするものである。
【課題を解決するための手段】
【０００９】
前記従来の課題を解決するために、本発明の空気調和機は、室内ユニットの外郭に、室外ユニットと接続する配管を引き出すための配管穴ふた部を複数設け、前記配管穴ふた部は、前記外郭とヒンジで連結された配管穴ふたを有するもので、配管穴ふたをヒンジ作用にて倒すことにより配管の引出しが可能となり、また、配管穴ふたは、外郭とヒンジで連結されているので、従来のように失う心配がなく、再び配管穴ふたを元の位置に戻したい
ときには非常に簡単な作業で可能となり、初めに切り取った配管穴ふた部の見苦しさをなくすことができる。
【発明の効果】
【００１０】
本発明の空気調和機は、配管穴ふたをヒンジ作用にて倒すことにより配管の引出しが可能となり、また、配管穴ふた部は、外郭とヒンジで連結されているので、従来のように失う心配がなく、更に、再び配管穴ふたを元の位置に戻したいときには非常に簡単な作業で可能となり、初めに切り取った配管穴ふた部の見苦しさをなくすことができる。
【発明を実施するための最良の形態】
【００１１】
第１の発明は、室内ユニットの外郭に、室外ユニットと接続する配管を引き出すための配管穴ふた部を複数設け、前記配管穴ふた部は、前記外郭とヒンジで連結された配管穴ふたを有するもので、配管穴ふたをヒンジ作用にて倒すことにより配管の引出しが可能となり、また、配管穴ふたは、外郭とヒンジで連結されているので従来のように失う心配がなく、再び配管穴ふたを元の位置に戻したいときには非常に簡単な作業で可能となり、初めに切り取った配管穴ふた部の見苦しさをなくすことができる。
【００１２】
第２の発明は、特に、第１の発明の外郭と配管穴ふたとヒンジを一体に形成したもので、新たな部品が不要で、コストをアップさせることなく簡単な構成で配管穴ふた部を形成することが出来る。
【００１３】
第３の発明は、特に、第１の発明の配管穴ふたと外郭とを一体で形成し、前記配管穴ふたと前記外郭とを別体のヒンジで連結したもので、ヒンジのみに、プロピロプレン樹脂等繰り返しの曲げを受ける部品に適し材料が使用できるので、全体的に安価に形成できる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の配管穴ふた部の拡大図、図２は、図１のＡ−Ａ線断面図、図３は、同配管穴ふた部から配管を引き出す様子を示す部分断面図である。尚、従来の空気調和機と同一部分については、同一符号を付してその説明を省略する。
【００１６】
図１〜図３において、本実施の形態における空気調和機の配管穴ふた部２は、穴部６を跨ぐように、台枠１と配管穴ふた７とを連結するヒンジ８を設けたものである。本実施の形態では、台枠１、配管穴ふた７、ヒンジ８は、樹脂で一体に形成されると共に、ヒンジ８は、図２に示すように、薄肉で、しかも断面を円弧状にして、ヒンジ機能を持たせている。切り込み部５は、従来と同じく薄肉となっている。
【００１７】
今、この配管穴ふた７を開放して、ここから配管９を引き出す場合には、まず、切り込み部５を金のこ等の工具で切断した後、図３に示すように、ヒンジ機能を利用して配管穴ふた７を内側に押して、折り曲げておくことができる。
【００１８】
そして、移設等によりこの配管穴ふた部２を塞ぎたい場合は、内側に折り曲げられた配管穴ふた７を起こし、切断した切り込み部５の近辺を裏面よりテープ等で固定することにより可能となる。
【００１９】
以上のように、本実施の形態によれば、外郭を形成する台枠１と配管穴ふた７がヒンジ８で連結されているので、配管穴ふた７をヒンジ作用にて倒すことができ、それにより配
管９の引出しが可能となり、配管穴ふた７は、切り離された状態ではないので、従来のように失う心配がなく、再び配管穴ふた７を元の位置に戻したいときには、非常に簡単な作業で可能となり、初めに切り取った配管穴ふた部２の見苦しさをなくすことができる。また、これらの台枠１、配管穴ふた７、ヒンジ８は、樹脂で一体に構成されているので、新たな部品が不要で、コストもアップさせることなく簡単な構成で、目的を達成することが出来る。
【００２０】
（実施の形態２）
図４は、本発明の第２の実施の形態における空気調和機の配管穴ふた部の断面図である。尚、上記第１の実施の形態における空気調和機と同一部分については、同一符号を付してその説明を省略する。
【００２１】
上記第１の実施の形態では、台枠と配管穴ふたとを一体に形成したヒンジで連結したが、本実施の形態は、ヒンジを別部品としたものである。
【００２２】
本実施の形態における空気調和機は、図４に示すように、台枠１に、ヒンジ取付部１ａを、配管穴ふた７にも同様のヒンジ取付部７ａをそれぞれ設け、そのヒンジ取付部１ａ、７ａに、別体のヒンジ８の両端を差し込むようにして、配管穴ふた７にヒンジ機能を持たせたものである。尚、その他の構成は、上記第１の実施の形態と同じである。
【００２３】
一般に、台枠１は、外郭としての外観性や強度を有し、またコストも安価なスチロール樹脂が使用される。このスチロール樹脂は繰り返しの曲げを受けるような部分には余り適した材料ではないが、本実施の形態のようにヒンジ８を単独部品とすることによりヒンジ８自体の材料をよりヒンジ機構に適した材料、たとえばプロピロプレン樹脂等にすることが可能であり、ヒンジ８としての信頼性を高くすることが出来る。
【産業上の利用可能性】
【００２４】
以上のように、本発明にかかる空気調和機は、室内ユニットの外郭と配管穴ふたをヒンジで連結したことにより、配管穴ふたをヒンジ作用にて倒すだけで配管の引出しが可能となり、しかも配管穴ふたは切り離された状態ではないので、従来のように失う心配がなく、また、再び配管穴ふたを元の位置に戻したいときには非常に簡単な作業でそれができ、また、初めに切り取った配管穴ふた部の見苦しさをなくすことができるものであり、空気調和機に限らず、配管穴ふたを有する各種機器に利用できる。
【図面の簡単な説明】
【００２５】
【図１】本発明の実施の形態１における空気調和機の配管穴ふた部の拡大図
【図２】図１のＡ−Ａ線断面図
【図３】同配管穴ふた部から配管を引き出す様子を示す部分断面図
【図４】本発明の実施の形態２における空気調和機の配管穴ふた部の断面図
【図５】従来の空気調和機の室内ユニットの正面図、側面図及び下面図
【図６】同空気調和機の配管穴ふた部の拡大図
【図７】同空気調和機の配管穴ふたの収納部を示す部分斜視図
【符号の説明】
【００２６】
１  台枠
１ａ、７ａ  ヒンジ取付部
２  配管穴ふた部
５  切り込み部
６  穴部
７  配管穴ふた
８  ヒンジ
【図１】
2008190838.tif 000003
【図２】
2008190838.tif 000004
【図３】
2008190838.tif 000005
【図４】
2008190838.tif 000006
【図５】
2008190838.tif 000007
【図６】
2008190838.tif 000008
【図７】
2008190838.tif 000009